(57)【特許請求の範囲】
【請求項１】
金属板製アクトベースのベース本体に貫設したシャフト孔にガイドシャフトの下部が圧
嵌され、該ベース本体の前後両縁から起立板が起立され、該各起立板の上面がカバー載置
面とされ、その各カバー載置面に対してガイドシャフトの上面が同一水平レベルで面一状
に形成され、前記ガイドシャフトに対物レンズ付きレンズホルダが移動可能に嵌合され、
前記各カバー載置面に載置した合成樹脂製アクトカバーがアクトベースに係止されており
、前記レンズホルダに設けたフォーカスコイル及びトラッキングコイルを励磁することに
より、該レンズホルダをガイドシャフトに沿ってフォーカッシングさせると共に、そのレ
ンズホルダをガイドシャフト回りでトラッキングさせるようにした対物レンズユニットに
おいて、前記ガイドシャフトの上面に対向して該ガイドシャフトよりも大径で所定高さの
ストッパがアクトカバーの下面に一体突設されており、該ストッパをガイドシャフトの上
面に当接させることによりアクトカバーを上向き円弧状に弾性変位させるようにしたこと
を特徴とする対物レンズユニット。
【発明の詳細な説明】
【技術分野】
【０００１】
本発明は、例えばＤＶＤプレーヤやＤＶＤレコーダなどの光ピックアップに使用される
対物レンズユニットに関し、特に、レンズホルダのフォーカッシングを精密且つ円滑に行
なうことができるようにしたものである。
【背景技術】
【０００２】
従来、対物レンズユニットの技術として図７〜図１１に示すものがあり、図７は同縦断
面図、図８は同平面図、図９は同要部の分解斜視図、図１０（ａ）は同要部の分解縦断面
図、図１０（ｂ）は同要部の組立図、図１１は同作用図である。
【０００３】
図７〜図１０に示すように、金属板製アクトベース１のベース本体１ａに貫設したシャ
フト孔２にガイドシャフト３の下部が圧嵌され、該ベース本体１ａの前後両縁から起立板
１ｂ，１ｃが起立され、該各起立板１ｂ，１ｃの上面がカバー載置面４とされ、その各カ
バー載置面４に対してガイドシャフト３の上面３ａが同一水平レベルＳで面一状に形成さ
れ、ベース本体１ａの両側縁から起立させた側板１ｄ，１ｅにマグネット５が固定されて
いる。
【０００４】
前記アクトベース１がディスクＤの半径方向に沿ってスライド可能なスライドベース６
上に載置され、該アクトベース１から側方に延びる３つの支持板１ｆ〜１ｈとスライドベ
ース６とを連結する各調整ねじ７とばね８とにより、そのアクトベース１がスライドベー
ス６上に位置調整された状態で固定されている。
【０００５】
図７及び図８に示すように、対物レンズＯＬ付きレンズホルダ１０の中央に貫設したガ
イド孔１１がガイドシャフト３に移動可能に嵌合され、該レンズホルダ１０にフォーカス
コイル１２とトラッキングコイル１３とが固定されている。
【０００６】
図７〜図９に示すように、各カバー載置面４に合成樹脂製アクトカバー１５が載置され
ると共に、該アクトカバー１５の前後両縁に突設した複数（この例では４つ）のフック１
５ａを各起立板１ｂ，１ｃの凹段部１６に係合させることにより、そのアクトカバー１５
がアクトベース１に係止され、対物レンズＯＬに対向してアクトベース１とアクトカバー
１５とに貫通孔１ｉ，１５ｂが貫設されている。なお、図７中、１７は起立板１ｃに固定
したプリント基板であって、リード線１７ａを介してフォーカスコイル１２及びトラッキ
ングコイル１３に接続されている。１８はコリメータレンズである。
【０００７】
動作原理を説明すると、フォーカスコイル１２に通電して励磁することにより、レンズ
ホルダ１０をガイドシャフト３に沿ってフォーカス方向ａ，ｂにフォーカッシングさせる
と共に、トラッキングコイル１３に通電することにより、レンズホルダ１０をガイドシャ
フト３回りでトラッキング方向ｃ，ｄにトラッキングさせることにより、レーザーダイオ
ードからレーザー光Ｐをコリメータレンズ１８及び対物レンズＯＬを通してディスクＤに
投射し、その反射光に基づいてディスクＤに記録されている情報を読み取る。
【０００８】
上記構成によれば、アクトカバー１５が合成樹脂で成形されているから、図１０（ａ）
に仮想線で示すように、そのアクトカバー１５が反って上向き円弧状に変形されることが
あり、その反ったアクトカバー１５をアクトベース１に取り付けると、図１０（ｂ）に示
すように、アクトカバー１５がガイドシャフト３の上面３ａから離れてその両者間に隙間
αが生じる。
【０００９】
上記のように、反ったアクトカバー１５をアクトベース１に取り付けた状態で光ピック
アップを駆動すると、図１１に示すように、フォーカス方向ａ，ｂに沿って最上昇したレ
ンズホルダ１０の後部がアクトカバー１５に当たることにより、該レンズホルダ１０の前
部が矢印ｅ方向に浮き上がって、そのレンズホルダ１０が傾くことになるため、レンズホ
ルダ１０のフォーカッシングが不安定となり、読取誤差が生じるおそれがある。
【００１０】
図１２の他の作用図に示すように、アクトカバー１５が反らなかったとしても、ガイド
シャフト３をシャフト孔２に圧嵌させ過ぎて、該ガイドシャフト３の上面３ａがカバー載
置面４よりも下がって、そのアクトカバー１５とガイドシャフト３の上面３ａとの間に隙
間αが生じた場合にも、上記と同様の問題点が生じる。
【００１１】
関連する技術の一つとして特許文献１に記載したものがあり、これは、図１３（ａ）の
縦断面図に示すように、ガイドシャフト３の上面３ａをカバー載置面４から所定間隔ｋだ
け下げ、アクトカバー１５の下面のガイドシャフト対向位置に間隔ｋと同一高さの十字状
ストッパ２０を一体突設させており、フォーカス方向ａ，ｂに沿って最上昇したレンズホ
ルダ１０がストッパ２０に当たるようにしている。
【特許文献１】特開２００７−５８９３３号公報
【発明の開示】
【発明が解決しようとする課題】
【００１２】
特許文献１に記載した技術では、図１３（ｂ）に示すように、アクトカバー１５が反っ
て上向き円弧状に変形されることにより、ストッパ２０とガイドシャフト３の上面３ａと
の間に隙間αが生じたり、図１３（ｃ）に示すように、アクトカバー１５が反らなかった
としても、ガイドシャフト３をシャフト孔２に圧嵌させ過ぎて、該ガイドシャフト３の上
面３ａがカバー載置面４よりも下がって、ストッパ２０とガイドシャフト３の上面３ａと
の間に隙間αが生じることがあり、これでは、図７〜図１２に示す従来例と同様にレンズ
ホルダ１０のフォーカッシングが不安定となり、読取誤差が生じるおそれがある。
【００１３】
本発明は、上記従来の欠点に鑑み、レンズホルダのフォーカッシングを精密且つ円滑に
行なうことができるようにした対物レンズユニットを提供すること目的としている。
【課題を解決するための手段】
【００１４】
上記目的を達成するため、請求項１に記載の発明は、金属板製アクトベースのベース本
体に貫設したシャフト孔にガイドシャフトの下部が圧嵌され、該ベース本体の前後両縁か
ら起立板が起立され、該各起立板の上面がカバー載置面とされ、その各カバー載置面に対
してガイドシャフトの上面が同一水平レベルで面一状に形成され、前記ガイドシャフトに
対物レンズ付きレンズホルダが移動可能に嵌合され、前記各カバー載置面に載置した合成
樹脂製アクトカバーがアクトベースに係止されており、前記レンズホルダに設けたフォー
カスコイル及びトラッキングコイルを励磁することにより、該レンズホルダをガイドシャ
フトに沿ってフォーカッシングさせると共に、そのレンズホルダをガイドシャフト回りで
トラッキングさせるようにした対物レンズユニットにおいて、前記ガイドシャフトの上面
に対向して該ガイドシャフトよりも大径で所定高さのストッパがアクトカバーの下面に一
体突設されており、該ストッパをガイドシャフトの上面に当接させることによりアクトカ
バーを上向き円弧状に弾性変位させるようにしたことを特徴としている。
【発明の効果】
【００１５】
請求項１に記載の発明によれば、アクトカバーを弾性変位させることにより生じた付勢
力で大径のストッパをガイドシャフトの上面に押し付けているから、光ピックアップを駆
動してレンズホルダをフォーカス方向に沿って最上昇させても、該レンズホルダの中央部
がストッパに当たってそれ以上の上昇を阻止され、従来のようにレンズホルダが傾くこと
がなく、そのレンズホルダのフォーカッシングを精密且つ円滑に行って読取誤差が生じな
いようにすることができる。
【００１６】
また、ストッパがアクトカバーに一体突設されており、部品点数が増加していないから
、経済的である。
【発明を実施するための最良の形態】
【００１７】
図１〜図６は本発明の実施の一形態である対物レンズユニットを示すものであり、図１
は同縦断面図、図２は同平面図、図３は同分解斜視図、図４（ａ）は同要部の分解縦断面
図、図４（ｂ）は同要部の組立図、図５は同作用図である。
【００１８】
図１〜図４に示すように、ガイドシャフト３の上面３ａに対向して該ガイドシャフト３
の外径ｈ１より大きな外径ｈ２で所定高さｔの平面視円形（または四角形などの多角形）
のストッパ２１がアクトカバー１５の下面に一体突設されている。上記以外の構成は図７
〜図１０に示す構成とほぼ同じであるから、同一部分に同一符号を付してその説明を省略
する。
【００１９】
組立手順を説明すると、図４（ｂ）に示すように、ストッパ２１をガイドシャフト３の
上面３ａに同心状に当接させ、各フック１５ａを各起立板１ｂ，１ｃの凹段部１６に係合
させることにより、アクトカバー１５を上向き円弧状に弾性変位させ、そのアクトカバー
１５をアクトベース１に係止する。
【００２０】
具体的寸法の一例を示すと、ガイドシャフト３の外径ｈ１が２ｍｍ、ストッパ２１の外
径ｈ２が３ｍｍ、ストッパ２１の高さｔが０．２ｍｍであり、そのストッパ２１の高さｔ
（０．２ｍｍ）分だけアクトカバー１５が反って上向き円弧状に弾性変位されている。な
お、図面上で分かりやすくするため、アクトカバー１５の弾性変位状態を誇張して示して
いる。
【００２１】
上記構成によれば、アクトカバー１５を弾性変位させることにより生じた付勢力Ｆで大
径のストッパ２１をガイドシャフト３の上面３ａに押し付けているから〔図４（ｂ）参照
〕、光ピックアップを駆動してレンズホルダ１０をフォーカス方向ａ，ｂに沿って最上昇
させても、図５に示すように、レンズホルダ１０の中央部がストッパ２１に当たってそれ
以上の上昇を阻止され、従来のようにレンズホルダ１０が傾くことがなく（図１１参照）
、そのレンズホルダ１０のフォーカッシングを精密且つ円滑に行って読取誤差が生じない
ようにすることができる。
【００２２】
また、ストッパ２１がアクトカバー１５に一体突設されており、部品点数が増加してい
ないから、経済的である。
【００２３】
図６の他の作用図に示すように、ガイドシャフト３をシャフト孔２に圧嵌させ過ぎて、
該ガイドシャフト３の上面３ａとカバー載置面４との間に隙間α（例えば０．１ｍｍ）が
生じたとしても、アクトカバー１５を弾性変位させることにより生じた付勢力Ｆで大径の
ストッパ２１をガイドシャフト３の上面３ａに押し付けているから、図１〜図５に示す構
成と同様の効果を得ることができる。
【図面の簡単な説明】
【００２４】
【図１】本発明の実施の一形態である対物レンズユニットを示す縦断面図である。
【図２】同平面図である。
【図３】同要部の分解斜視図である。
【図４】（ａ）は同要部の分解縦断面図、（ｂ）は同要部の組立図である。
【図５】同作用図である。
【図６】同他の作用図である。
【図７】従来例を示す縦断面図である。
【図８】同平面図である。
【図９】同要部の分解斜視図である。
【図１０】（ａ）は同要部の分解縦断面図、（ｂ）は同要部の組立図である。
【図１１】同作用図である。
【図１２】同他の作用図である。
【図１３】（ａ）は他の従来例の縦断面図、（ｂ）は同要部の作用図、（ｃ）は同要部の他の作用図である。
【符号の説明】
【００２５】
１          アクトベース
１ａ        アクトベースのベース本体
１ｂ，１ｃ  起立板
２          シャフト孔
３          ガイドシャフト
３ａ        ガイドシャフトの上面
４          カバー載置面
１０        レンズホルダ
１２        フォーカスコイル
１３        トラッキングコイル
１５        アクトカバー
２１        ストッパ
Ｄ          ディスク
Ｓ          水平レベル
ＯＬ        対物レンズ
ｈ１        ガイドシャフトの外径
ｈ２        ストッパの外径
ｔ          ストッパの高さ
【図１】
0004853458.tif 000002
【図２】
0004853458.tif 000003
【図３】
0004853458.tif 000004
【図４】
0004853458.tif 000005
【図５】
0004853458.tif 000006
【図６】
0004853458.tif 000007
【図７】
0004853458.tif 000008
【図８】
0004853458.tif 000009
【図９】
0004853458.tif 000010
【図１０】
0004853458.tif 000011
【図１１】
0004853458.tif 000012
【図１２】
0004853458.tif 000013
【図１３】
0004853458.tif 000014